(57)【要約】【課題】簡易な構成で効果的なマッサージ効果が得られ、個人でマッサージを行うことのできるマッサージ装置を提供する。【解決手段】電力が供給され電気回路を内蔵した装置本体１０と、装置本体１０と電気的に接続されたプレート部３０と、装置本体１０と電気的に接続されたマッサージ部４０と、を備え、プレート部３０とマッサージ部４０とは相対的に電位差を生じることが可能とされ、プレート部３０を人体のいずれかに接した状態で、マッサージ部４０を人体の特定部位に接することで前記特定部位を電気的に刺激してなるマッサージ装置１は、効果的なマッサージを個人で行うことができる。【選択図】図１
0003219214.tif 000002
【実用新案登録請求の範囲】
【請求項１】
電力が供給される電気回路を内蔵した装置本体と、
前記装置本体の前記電気回路と電気的に接続されたプレート部と、
前記装置本体の前記電気回路と電気的に接続されたマッサージ部と、
を備え、
前記プレート部と前記マッサージ部とは相対的に電位差が生じており、
前記プレート部に人体のいずれかの部位が接した状態で、前記マッサージ部が当該人体又は別の人体の特定部位に接することで前記特定部位が電気的に刺激されてなる
ことを特徴とするマッサージ装置。
【請求項２】
前記マッサージ部には、含水性のスポンジ体が備えられている
請求項１に記載のマッサージ装置。
【請求項３】
前記装置本体には、人体を介して前記プレート部と前記マッサージ部とを流れる電流量に基づく演出表示が表示される表示部を備えている
請求項１又は請求項２に記載のマッサージ装置。
【請求項４】
請求項１乃至請求項３のいずれか１項に記載のマッサージ装置に用いられるプレート部であって、
可搬式であることを特徴とするプレート部。
【請求項５】
請求項１乃至請求項３のいずれか１項に記載のマッサージ装置に用いられるマッサージ部であって、
可搬式であることを特徴とするマッサージ部。
【請求項６】
請求項１乃至請求項３のいずれか１項に記載のマッサージ装置に用いられるマッサージ部であって、
前記スポンジ体は、繰り返し使用可能なフェルト材からなると共に、使い捨ての不織布を備え、前記不織布が、前記スポンジ体における人体側の表面に配置されて、前記特定部位には前記不織布が接触する
ことを特徴とするマッサージ部。
【考案の詳細な説明】
【技術分野】
【０００１】
本考案は、人体の特定部位を電気的に刺激するマッサージ装置に関する。
【背景技術】
【０００２】
従来から、美容の目的で人体の顔や手足等を施術者が手でもみほぐすマッサージが一般的に行われている。また、マッサージをする際に、電気的な刺激を与える装置がいくつか提案されている（例えば、特許文献１参照）。
【先行技術文献】
【特許文献】
【０００３】
【特許文献１】特開2018-99514号公報
【考案の概要】
【考案が解決しようとする課題】
【０００４】
本考案は、簡易な構成で効果的なマッサージ効果が得られ、個人でマッサージを行うことのできるマッサージ装置を提供することを目的とする。
【課題を解決するための手段】
【０００５】
本考案は、電力が供給される電気回路を内蔵した装置本体と、前記装置本体の前記電気回路と電気的に接続されたプレート部と、前記装置本体の前記電気回路と電気的に接続されたマッサージ部と、を備え、前記プレート部と前記マッサージ部とは相対的に電位差が生じており、前記プレート部に人体のいずれかの部位が接した状態で、前記マッサージ部が当該人体又は別の人体の特定部位に接することで前記特定部位が電気的に刺激されてなることを特徴とするマッサージ装置である。
【０００６】
かかる構成にあっては、前記マッサージ部が人体の前記特定部位を物理的に刺激するだけでなく、電気的にも刺激することになるため、効果的なマッサージ効果が得られる。また、前記プレート部を自身の体の一部（例えば足）に接した状態で、前記マッサージ部を手で持って自分自身の体の特定の部位（例えば頬）にあてがってもみほぐすことにより、個人で手軽にマッサージを行うことができる。なお、本考案における前記プレート部と前記マッサージ部との間に生ずる電位差は、一般的にいわれる低周波パルス電流を含む。
【０００７】
また、前記マッサージ部には、含水性のスポンジ体が備えられている構成が提案される。
【０００８】
かかる構成とすることにより、前記マッサージ部がより効果的に前記特定部位に物理的及び電気的な刺激を与えることができる。
【０００９】
さらに、前記装置本体には、人体を介して前記プレート部と前記マッサージ部とを流れる電流量に基づく演出表示が表示される表示部を備えている構成が提案される。
【００１０】
かかる構成とすることにより、微弱な電流量の変化を見て、前記特定部位の「こり」や疲労の状態を検知することができる。
【００１１】
また、前記マッサージ装置に用いられるプレート部であって、可搬式であることを特徴とするプレート部が提案される。
【００１２】
また、前記マッサージ装置に用いられるマッサージ部であって、可搬式であることを特徴とするマッサージ部が提案される。
【００１３】
また、前記マッサージ装置に用いられるマッサージ部であって、前記スポンジ体は、繰り返し使用可能なフェルト材からなると共に、使い捨ての不織布を備え、前記不織布が、前記スポンジ体における人体側の表面に配置されて、前記特定部位には前記不織布が接触することを特徴とするマッサージ部が提案される。
【００１４】
かかる構成とすることにより、適正な衛生状態を保ちつつ、スポンジ体を繰り返し使用することが可能となる。
【考案の効果】
【００１５】
本考案にかかるマッサージ装置は、人体の特定部位を電気的に刺激することで効果的なマッサージ効果が得られる。また、個人で手軽にマッサージを行うことができる効果がある。
【図面の簡単な説明】
【００１６】
【図１】実施例にかかるマッサージ装置を使用している状態を示す説明図である。
【図２】実施例にかかる装置本体の正面図である。
【図３】実施例にかかるマッサージ部の説明図である。
【図４】他の実施例にかかるマッサージ装置の説明図である。
【考案を実施するための形態】
【００１７】
以下に本考案を具体化した実施例を詳細に説明する。なお、本考案は、下記に示す実施例に限定されることはなく、適宜設計変更が可能である。
【００１８】
〔実施例〕
本実施例のマッサージ装置を図１等に従って説明する。
図１，図２に示したようにマッサージ装置１は、電気回路が内蔵された装置本体１０を備えている。そして、装置本体１０には、第１電気コード２１を介してシート状で可搬式のプレート部３０が電気的に接続されている。また、装置本体１０には、第２電気コード２２を介して略円柱形状で可搬式のマッサージ部４０が電気的に接続されている。
【００１９】
なお、装置本体１０には、図示しない電源コードが接続されており、電源コードから供給された電力によってマッサージ装置１が電気的に作動する。
【００２０】
また、装置本体１０の正面部には、図２に示したように、電源スイッチ１１、第１調節ダイヤル１２、第２調節ダイヤル１３、第１表示画面１４、及び第２表示画面１５が配置されている。
【００２１】
上記構成にあって、電源スイッチ１１をオン操作することによって装置本体１０に電力が供給される。また、第１調節ダイヤル１２及び第２調節ダイヤル１３をそれぞれ調節することによってプレート部３０とマッサージ部４０との間に生じる電位差の大きさを調節することができる。
【００２２】
また、第１表示画面１４には、プレート部３０とマッサージ部４０との間の電位差が電流量（アンペア）として棒グラフ状に表示される。また、第２表示画面１５には、プレート部３０とマッサージ部４０との間の電位差が電流量（アンペア）として数値表示される。一例として図２では１２０（ミリアンペア）と表示されている。
【００２３】
プレート部３０は、図１に示したように、第１電気コード２１と電気的に接続された通電部３１を備えている。
【００２４】
また、マッサージ部４０は、図３に示したように、円筒形状の本体把持部４１と、本体把持部４１内に水を含んだ状態で収容される含水性のスポンジ体４２と、同様に水を含んだ状態でスポンジ体４２の表側に取り付けられるシート４３と、シート４３を被覆するカバー４４と、を備えている。後述するように、カバー４４は、人体の特定の部位に接するものであり、スポンジ体４２によって中央が膨出し、マッサージを行う際に程よい触感を与えることが可能となっている。また、カバー４４は本体把持部４１を介して第２電気コード２２と電気的に接続されている。
【００２５】
マッサージ装置１を用いてマッサージを行う場合は、例えば図１に示したように、椅子等に座った状態で足の裏を直接プレート部３０の通電部３１に接した状態で、頬にマッサージ部４０のカバー４４を当て、第１調節ダイヤル１２及び第２調節ダイヤル１３を操作して好適な刺激が得られるよう電流量を調節する。その後、マッサージ部４０を動かしてマッサージを行う。
【００２６】
顔（頬）の場合は、口元から目尻に向かってもみ上げるようにマッサージ部４０を動かすことで、引き締め効果で小顔になったりハリやツヤのある美肌効果が期待できる。また、眼精疲労や頭痛の軽減効果も期待できる。
【００２７】
首の場合は、顔から肩へ向かって下へマッサージ部４０を動かすとよい。肩も合わせてもみほぐすことができる。首や肩のこりをほぐして血行を良くする効果が期待できる。
【００２８】
腕の場合は、手首から肘に向かって、また肘から肩に向かってもみ上げるようにマッサージ部４０を動かすことで、特に二の腕のたるみをシェイプアップしてスタイルを良くする効果が期待できる。
【００２９】
腹部の場合は、下から上へ向かって、又は横からへそへ向かってマッサージ部４０を動かすことで、シェイプアップ効果が期待できる。また、便秘や胃腸に不調のある場合にも復調の効果が期待できる。
【００３０】
背中（腰）の場合には、中央から左右脇へ向かってもみ上げるようにマッサージ部４０を動かすことで、こり固まった筋肉をほぐし、腰痛を軽減する効果が期待できる。
【００３１】
脚の場合には、足首から膝へ向かって、また膝から腰へ向かってもみ上げるようにマッサージ部４０を動かすことで、血行が改善され冷え性やむくみが解消される効果が期待できる。これにより慢性的な疲労感を解消する効果も期待できる。
【００３２】
上述のようなマッサージを行っている際に、第１表示画面１４や第２表示画面１５を参照し、電流量の変化によって集中的にマッサージを行うとよい部位を認識することができる。
【００３３】
上記実施例にあって、各部の寸法形状は適宜自由に選択可能である。また、例えば、顔と首から下の部位とでは好適な電流量に大きな差があるため、第１調節ダイヤル１２及び第２調節ダイヤル１３以外にも電流量の切換スイッチを別途設けることが好ましい。また、第１表示画面１４及び第２表示画面１５の表示態様は上記実施例以外の形態でも構わない。例えばマッサージの経過時間等が表示されてもよいし、視認性が高められたグラフや図形等で組み合わされたアニメーションからなる演出表示であってもよい。
【００３４】
なお、図４に示したように、本考案のマッサージ部４０に替えて施術者用プレート５０を装置本体１０と電気的に接続して床に配置し、プレート部３０をベッドに配することで、施術者が施術者用プレートを踏んだ状態で、ベッドに寝た対象者に対して従来と同様に指等を用いてマッサージを施すことができる。
【００３５】
また、前記スポンジ体４２は、繰り返し使用可能なフェルト材からなるのが望ましい。かかる構成とすることにより、適正に含水状態が得られる。また、スポンジ体４２の表面に不織布を配置し、人体には、使い捨ての不織布が接するようにすることが望ましい。したがって、不織布のみを適宜交換することにより、適正な衛生状態を保ちつつ、スポンジ体４２を繰り返し使用することが可能となる。
【符号の説明】
【００３６】
１          マッサージ装置
１０        装置本体
１１        電源スイッチ
１２        第１調節ダイヤル
１３        第２調節ダイヤル
１４        第１表示画面
１５        第２表示画面
２１        第１電気コード
２２        第２電気コード
３０        プレート部
３１        通電部
４０        マッサージ部
４１        本体把持部
４２        スポンジ体
４３        シート
４４        カバー
５０        施術者用プレート
【図１】
0003219214.tif 000003
【図２】
0003219214.tif 000004
【図３】
0003219214.tif 000005
【図４】
0003219214.tif 000006